(57)【要約】【課題】Ｌ字形端子板の形状を改良して端子付き筒形ヒューズの小形，コンパクト化を図る。【解決手段】消弧剤４を充填した円筒形絶縁筒１の両端に電極となる中キャップ２を被着し、かつこの電極間に可溶体３を張架してなるヒューズ本体に対し、その両端にＬ字形の外部接続用端子板５を設けた端子付き筒形ヒューズで、端子板にヒューズ本体の電極に嵌着するキャップ部５ｂを形成したものにおいて、端子板５の板面に、キャップ部５ａの周縁両サイドに連なる左右一対の脚部５ｃを残して逃げ穴５ｄを切欠き形成した上で、脚部５ｃをＬ字状に折り曲げてキャップ部を横向き姿勢に起立させ、この状態でキャップ部５ｂの下部周縁が前記逃げ穴５ｄへ入り組むようにしてヒューズの全高ｈを縮小させる。【選択図】      図１
2004158252.tif 000002
【特許請求の範囲】
【請求項１】
消弧剤を充填した円筒形絶縁筒の両端にキャップ状の電極を被着し、かつこの電極間に可溶体を張架してなるヒューズ本体に対し、その両端にＬ字形の外部接続用端子板を設けた端子付き筒形ヒューズであり、前記端子板にヒューズ本体の電極に嵌着するキャップ部を形成したものにおいて、
前記端子板の板面に、キャップ部の周縁両サイドに連なる左右一対の脚部を残してキャップ部のとの重なり合いを避ける逃げ穴を切欠き形成した上で、前記脚部をＬ字状に折り曲げてキャップ部を起立させたことを特徴とする端子付き筒形ヒューズ。
【発明の詳細な説明】
【０００１】
【発明の属する技術分野】
本発明は端子付き筒形ヒューズに関し、詳しくはヒューズ本体に組付けけた端子板の構造に係わる。
【０００２】
【従来の技術】
頭記の端子付き筒形ヒューズとして、筒内に消弧剤を充填した円筒形絶縁筒の両端にキャップ状の電極を被着し、この電極間に可溶体を張架してなるヒューズ本体に対し、その両端にＬ字形の外部接続用端子板を組付けた構成のものが知られている。（例えば、特許文献１参照）。
また、前記の端子付き筒形ヒューズとして、Ｌ字形になる端子板の起立側端部にキャップ部を成形し、このキャップ部をヒューズ本体の電極に嵌着して一体に組立てた構成も知られている。（例えば、特許文献２参照）。
【０００３】
次に、端子板にキャップ部を形成してヒューズ本体の電極に嵌着した端子付き筒形ヒューズの従来構成を図６，図７に示す。図６（ａ），（ｂ）  において、１は円筒形の絶縁筒（ヒューズ筒）、２は絶縁筒１の両端に被着した中キャップ（キャップ状の電極）、３は中キャップ２の間に張架した可溶体（ヒューズエレメント）、４は絶縁筒１に充填した消弧剤（珪砂）であり、これらで構成したヒューズ本体の両端には、Ｌ字形の外部接続用端子板５が一体に組付けられている。
ここで、端子板５は、図７（ａ）  〜（ｃ）  で示すように、端子板の基部に外部回路に取付けるねじのねじ穴５ａが開口し、かつ先端側には前記したヒューズ本体の中キャップ２に嵌着するキャップ部５ｂが起立形成されており、該キャップ部５ｂの下端縁と端子板の基部とが脚部５ｃを介して連なっている。
【０００４】
かかる構造の端子板５を製作するには、まず銅板などの材料から図７（ｃ）  に示す形状に打ち抜き、さらにその先端側にキャップ部５ｂをプレス成形した後、その脚部５ｃに表したＰ１，Ｐ２  の部位をコ字形に曲げて図７（ｂ）  で示すようにキャップ部５ｂが横を向くように起立した形状に成形する。
【０００５】
【特許文献１】実開昭５９−１６６３５０公報（図１−図３）
【特許文献２】特開２０００−３０５９８号公報（図１−図４）
【０００６】
【発明が解決しようとする課題】
ところで、図６，図７に示した従来構成の端子付き筒形ヒューズは次記のような問題点がある。
すなわち、分電盤，ヒューズホルダなどに搭載して使用する筒形ヒューズは、端子板を含めた外形寸法ができるだけ小さいことが望まれる。これに対して、図７で述べたように端子板５の脚部５ｃをコ字形に折り曲げてキャップ部５ｂを起立させた構成では、図６（ｂ）  で表すように端子板５の基部とキャップ部５ｂの下面との間に隙間ｇが生じる。これにより、端子板５を含めたヒューズの全高ｈは、端子板５の板厚をｄ，キャップ部５ｂの外径をφとして、ｈ＝φ＋ｄ＋ｇとなる。このため、ヒューズの外形サイズ、特に高さ寸法が大きくなる。
【０００７】
本発明は上記の点に鑑みなされたものであり、その目的は前記課題を解決して外形サイズの小形，コンパクト化を図り、併せて端子板の曲げ加工性も改善した端子付き筒形ヒューズを提供することにある。
【０００８】
【課題を解決するための手段】
上記目的を達成するために、本発明によれば、筒内に消弧剤を充填した円筒形絶縁筒の両端にキャップ状の電極を被着し、この電極間に可溶体を張架してなるヒューズ本体に対し、その両端にＬ字形の外部接続用端子板を組付けた端子付き筒形ヒューズであり、前記端子板の起立側端部にヒューズ本体の電極に嵌着するキャップ部を形成したものにおいて、
端子板の板面に、キャップ部の周縁両サイドと連なる左右一対の脚部を残して脚部の間にキャップ部のとの重なり合いを避ける逃げ穴を切欠き形成した上で、前記脚部をＬ字状に折り曲げてキャップ部を横向きに起立させるものとする。
【０００９】
上記の構成によれば、端子板の脚部をＬ字状に折り曲げてキャップ部を起立させる際に、脚部との干渉なしにキャップ部の下部周縁部分が脚部の間に入り組むように曲げ加工できる。これにより、ヒューズ本体に端子板を組付けた状態では、従来構造と比べてヒューズの全高が縮小する。また、端子板の脚部が板面両サイドに分けて二股状に形成されているので、その曲げ加工も大きな力を要さずに容易に行える。
【００１０】
【発明の実施の形態】
以下、本発明の実施の形態を図１〜図５に示す実施例に基づいて説明する。なお、実施例の図中で図６，図７に対応する同一部材には同じ符号を付してその説明は省略する。
〔実施例１〕
図１〜図３に第１実施例の構成を示す。この実施例におけるヒューズ本体は図６に示した従来構造と同一であるが、その両端に組付けた端子板５が次記のように構成されている。すなわち、端子板の一端側に形成したキャップ部５ｂと端子板基部との間を連ねる脚部５ｃを二股状として左右両サイドに分けて形成し、かつその脚部間にはキャップ部５ｂとの重なり合いを避けるように逃げ穴５ｄを切欠き形成しており、各脚部５ｃはキャップ部５ｂを左右から挟むかたちでその左右両側縁に繋がっている。そして、脚部５ｃをＬ字形に折り曲げてキャップ部５ｂを横向きに起立させた状態では、キャップ部５ｂの下端周縁部分が前記の逃げ穴５ｄの中に入り組んでいる。
【００１１】
前記構造の端子板５を製作するには、銅板などの平板材料から図３（ａ）  に示す展開パターンを打ち抜き、図３（ｂ）  のようにキャップ部５ｂをプレス成形する。次に、図中に表したＰ部を曲げ加工点としてキャップ部５ｂを矢印方向に起立させて図３（ｃ）  のＬ字形端子板を形成する。
上記の構成によれば、図１に示した筒形ヒューズの組立状態で、その全高ｈが図６に示した従来構成と比べて縮減する。すなわち、端子板５の板厚をｄ，キャップ部５ｂの外径をφ，前記逃げ穴５ｄに入り組んだキャップ部周縁の嵌入深さをｗとすると、ヒューズの全高ｈ＝φ＋ｄ−ｗとなり、図６（ｂ）  に表した構成と比べて全高ｈが縮小する。つまり、従来構造と比べて小形，コンパクトな構成となる。
【００１２】
また、左右両サイドに分けて形成した脚部５ｃの幅は端子板基部に比べて小さいので、曲げ加工も楽に行える。
〔実施例２〕
図４，図５は前記した実施例１をベースにした応用実施例を示すものである。この実施例では、端子板５の脚部５ｃに曲げ加工を施してキャップ部５ｂを起立成形させた状態で、キャップ部５ｂの下部周縁が端子板基部の上面と同じレベルに並ぶように構成されている。
この実施例においても、実施例１と同様に図６，図７に示した従来例と比べてヒューズの全高を縮減できる。
【００１３】
【発明の効果】
以上述べたように、本発明によれば、消弧剤を充填した円筒形絶縁筒の両端にキャップ状の電極を被着し、かつこの電極間に可溶体を張架してなるヒューズ本体に対し、その両端にＬ字形の外部接続用端子板を設けた端子付き筒形ヒューズであり、前記端子板にヒューズ本体の電極に嵌着するキャップ部を形成したものにおいて、前記端子板の板面に、キャップ部の周縁両サイドに連なる左右一対の脚部を残してキャップ部のとの重なり合いを避ける逃げ穴を切欠き形成した上で、前記脚部をＬ字状に折り曲げてキャップ部を起立させたことにより、
端子板の脚部との干渉なしにキャップ部の下部周縁部分を脚部の間に入り組むように曲げ加工してＬ字形端子板を形成でき、これによりヒューズ本体に端子板を組付けた状態のヒューズの全高を従来構造よりも縮減して小形，コンパクト化が図れる。また、端子板の脚部が左右両サイドに分けて二股状に形成されているので、その曲げ加工も容易である。
【図面の簡単な説明】
【図１】本発明の実施例１に対応する端子板付き筒形ヒューズの組立構成図で、（ａ），（ｂ）  はそれぞれ側面図，および端面図、（ｃ）  は（ａ）  の断面図
【図２】図１における端子板の構造図で、（ａ），（ｂ）  は側面図，および断面図、（ｃ），（ｄ）  は（ａ）  の平面図，および底面図
【図３】図２に示した端子板の製作手順の説明図で、（ａ）  は打ち抜きパターンの展開図、（ｂ）  はキャップ部を成形した状態での断面図、（ｃ）  は曲げ加工によりキャップ部を起立させた状態の断面図
【図４】本発明の実施例２に対応する端子板付き筒形ヒューズの組立構成図で、（ａ），（ｂ）  はそれぞれ側面図，および端面図、（ｃ）  は（ａ）  の断面図
【図５】図４における端子板の構造図で、（ａ），（ｂ）  は側面図，および断面図、（ｃ），（ｄ）  は（ａ）  の平面図，および底面図
【図６】従来例の端子板付き筒形ヒューズの構成図で、（ａ），（ｂ）  はそれぞれ側視断面図，および端面図
【図７】図６における端子板の構造図で、（ａ）  は平面図、（ｂ）  は（ａ）  の矢視Ｘ−Ｘ断面図、（ｃ）  はキャップ部を起立させる以前の状態を表す平面図
【符号の説明】
１    絶縁筒
２    内キャップ（キャップ状電極）
３    可溶体
４    消弧剤
５    端子板
５ｂ  キャップ部
５ｃ  脚部
５ｄ  逃げ穴
【図１】
2004158252.tif 000003
【図２】
2004158252.tif 000004
【図３】
2004158252.tif 000005
【図４】
2004158252.tif 000006
【図５】
2004158252.tif 000007
【図６】
2004158252.tif 000008
【図７】
2004158252.tif 000009